(57)【要約】【課題】レンズ鏡胴本体に対して回転するとともに光軸方向にスライド移動するリング部材のクリック機構として、クリック動作時の摺動性がよく耐久性に優れ、リング部材が傾いて片方向のみ磨耗する等のおそれのないクリック機構を備えたレンズ装置を提供する。【解決手段】第１フォーカスリング７０のクリック機構は、レンズ鏡胴本体を構成する前固定環１２の周囲を３等分割した位置にそれぞれ配設されるクリック用弾性部材７６と、第１フォーカスリング７０の内周面のうちの中央部の内周面に形成され、クリック用弾性部材７６の凸部７６Ａに当接する当接部７０Ｄとにより構成されている。クリック用弾性部材７６の材質として、摺動性のよいポリアセタールを用いることにより、クリック動作時の磨耗を低減することができるようにしている。【選択図】  図２
2011043706.tif 000002
【特許請求の範囲】
【請求項１】
レンズ鏡胴本体に対して回転自在に配設されるとともに、光軸方向にスライド自在に配設されたリング部材と、前記リング部材の第１のスライド位置への移動時又は第２のスライド位置への移動時に該リング部材をクリック動作させるクリック機構とを有するレンズ装置において、
前記クリック機構は、
前記レンズ鏡胴本体の周囲を等分割した複数の位置にそれぞれ配設され、一端が前記レンズ鏡胴本体に固定され、他端が前記レンズ鏡胴本体の表面に摺動自在に当接する円弧状のクリック用弾性部材であって、その中央部の上面に凸部が形成されるとともに、両端を除いて板厚が薄く形成されて撓み用の空間が形成されたクリック用弾性部材と、
前記リング部材の内周面のうちの中央部の内周面に沿って形成され、該リング部材の第１のスライド位置への移動時又は第２のスライド位置への移動時に前記クリック用弾性部材の凸部に当接し、該クリック用弾性部材を撓ませて前記凸部を乗り越える当接部と、
を有することを特徴とするレンズ装置。
【請求項２】
前記クリック用弾性部材は、摺動性のよいプラスチックにより形成されていることを特徴とする請求項１に記載のレンズ装置。
【請求項３】
前記リング部材はポリカーボネートにより形成され、前記クリック用弾性部材はポリアセタールにより形成されていることを特徴とする請求項１又は２に記載のレンズ装置。
【請求項４】
前記クリック用弾性部材は、前記レンズ鏡胴本体の周囲を３等分割した位置にそれぞれ配設されていることを特徴とする請求項１から３のいずれかに記載のレンズ装置。
【請求項５】
前記クリック用弾性部材の中央部の上面に形成された凸部は、かまぼこ形状を有することを特徴とする請求項１から４のいずれかに記載のレンズ装置。
【請求項６】
前記レンズ鏡胴本体の周囲には、前記クリック用弾性部材の幅及び最大厚みに相当する幅及び深さの溝が形成され、前記クリック用弾性部材は、前記溝に沿って配設されることを特徴とする請求項１から５のいずれかに記載のレンズ装置。
【請求項７】
前記リング部材である第１のフォーカスリングと、
前記レンズ鏡胴本体に対して所定の回動範囲内のみで回動自在に配設された第２のフォーカスリングと、
前記第１のフォーカスリングの光軸方向の第１のスライド位置又は第２のスライド位置への移動に伴って、前記第１のフォーカスリングと第２のフォーカスリングとを連結又は非連結させるクラッチ手段と、
前記第１のフォーカスリングの前記第１のスライド位置への移動時に前記第２のフォーカスリングの回動位置に応じた絶対位置信号をフォーカスレンズの移動指令として出力する第１のフォーカスモードと、前記第１のフォーカスリングの前記第２のスライド位置への移動時に前記第１のフォーカスリングの回転量に応じた相対位置信号をフォーカスレンズの移動指令として出力する第２のフォーカスモードとを切り替えるフォーカスモード切替え手段と、
を備えたことを特徴とする請求項１から６のいずれかに記載のレンズ装置。
【請求項８】
前記第１のフォーカスリング及び第２のフォーカスリングは、それぞれ前記レンズ鏡胴本体を構成する１つの固定環上に配設されることを特徴とする請求項７に記載のレンズ装置。
【発明の詳細な説明】
【技術分野】
【０００１】
本発明はレンズ装置に係り、特にレンズ装置のリング部材のクリック機構に関する。
【背景技術】
【０００２】
従来、テレビの取材等で使用される持ち運び可能なＥＮＧ(Electronic News Gathering)カメラに用いられるレンズ装置において、フォーカスリングを手動で回動操作することによりフォーカスレンズを移動させて焦点調節を行うマニュアルフォーカス（ＭＦ）時に、フォーカスリングの回動位置に応じた絶対位置信号をフォーカスレンズの移動指令として出力する第１のＭＦモードと、フォーカスリングの回転量に応じた相対位置信号をフォーカスレンズの移動指令として出力する第２のＭＦモードとを有するものが知られている（特許文献１）。
【０００３】
図７は特許文献１に記載のレンズ装置の要部の拡大断面図である。
【０００４】
このレンズ装置は、前枠２、固定環３等を含むレンズ鏡胴本体の周囲に第１フォーカスリング４と第２フォーカスリング５とが配設されている。ここで、第１フォーカスリング４は、レンズ鏡胴本体に対して回転自在に配設されるとともに、光軸方向にスライド自在に配設され、一方、第２フォーカスリング５は、レンズ鏡胴本体に対して所定の回動範囲内のみで回動自在に配設されている。
【０００５】
また、第１フォーカスリング４と第２フォーカスリング５とが互いに対向する部分には、それぞれ歯車４Ａ、５Ａからなるクラッチ部が形成されており、第１フォーカスリング４を図７上で右方向にスライド移動させると、歯車４Ａが歯車５Ａに噛み合い、第１フォーカスリング４と第２フォーカスリング５とが連結される。一方、図７に示す状態では、歯車４Ａが歯車５Ａから外れており、第１フォーカスリング４と第２フォーカスリング５とは非連結状態となっている。
【０００６】
そして、ＭＦ時に、第１フォーカスリング４と第２フォーカスリング５とが連結された状態では、第２フォーカスリング５の回動位置に応じた絶対位置信号をフォーカスレンズの移動指令として出力する第１のＭＦモードとなり、一方、第１フォーカスリング４と第２フォーカスリング５とが連結されていない状態では、第１フォーカスリング４の回転量に応じた相対位置信号をフォーカスレンズの移動指令として出力する第２のＭＦモードとなる。
【０００７】
また、第１フォーカスリング４の歯車４Ａと反対側の端部には、片持ち梁状のクリック用の切欠き４Ｂが形成されており、この切欠き４Ｂに対向する前枠２には、切欠き４Ｂと係合する凸部２Ａが形成されている。
【０００８】
上記第１フォーカスリング４に形成されたクリック用の切欠き４Ｂと、前枠２に形成された凸部２Ａとによりクリック機構が構成されており、第１フォーカスリング４が第２フォーカスリング５に連結する第１のスライド位置に移動し、又は非連結になる第２のスライド位置（図７の状態）に移動すると、第１フォーカスリング４は、上記クリック機構によりクリック動作する。
【先行技術文献】
【特許文献】
【０００９】
【特許文献１】特開２００７−２１９０２３号公報
【発明の概要】
【発明が解決しようとする課題】
【００１０】
上記従来のレンズ装置のクリック機構は、第１フォーカスリング４にクリック用の切欠き４Ｂが一体成形されているため、部品点数を少なくすることができる利点があるが、下記の問題点があった。
【００１１】
前記クリック機構は、第１フォーカスリング４を使用するにしたがって初期のクリック感が得られなくなるという問題がある。これは、第１フォーカスリング４は、アルミ合金からなるレンズ鏡胴本体（前枠２、固定環３等）と同等の線膨張係数を持ち、かつ強度を確保するためにポリカーボネート等によって形成されるのが一般的であり、このポリカーボネート等によるクリック用の切欠き４Ｂは、クリック動作回数に応じて徐々に磨耗するからである。
【００１２】
また、クリック用の切欠き４Ｂは、第１フォーカスリング４の周囲の６箇所に形成されているが、第１フォーカスリング４のスライド操作時に第１フォーカスリング４が傾いて片側（一部）の切欠き部４Ｂのみが磨耗するという問題がある。第１フォーカスリング４が傾く原因としては、クリック用の切欠き４Ｂが第１フォーカスリング４の端部に設けられているため、第１フォーカスリング４がレンズ鏡胴本体（前枠２、固定環３）と接する幅が短いことや、第１フォーカスリング４が前枠２と固定環３上を摺動するため、前枠２と固定環３の２つの摺動面の段差の誤差などが考えられる。
【００１３】
更に、クリック用の切欠き４Ｂは、第１フォーカスリング４に一体成形されているため、最適なクリック力を決定する際に、切欠き４Ｂの板厚等の異なる第１フォーカスリングの試作品を作成する必要があり、コストがかかるという問題がある。
【００１４】
本発明はこのような事情に鑑みてなされたもので、レンズ鏡胴本体に対して回転するとともに光軸方向にスライド移動するリング部材のクリック機構として、クリック動作時の摺動性がよく耐久性に優れ、リング部材が傾いて片方向のみ磨耗する等のおそれのないクリック機構を備えたレンズ装置を提供することを目的とする。
【課題を解決するための手段】
【００１５】
前記目的を達成するために請求項１に係る発明は、レンズ鏡胴本体に対して回転自在に配設されるとともに、光軸方向にスライド自在に配設されたリング部材と、前記リング部材の第１のスライド位置への移動時又は第２のスライド位置への移動時に該リング部材をクリック動作させるクリック機構とを有するレンズ装置において、前記クリック機構は、前記レンズ鏡胴本体の周囲を等分割した複数の位置にそれぞれ配設され、一端が前記レンズ鏡胴本体に固定され、他端が前記レンズ鏡胴本体の表面に摺動自在に当接する円弧状のクリック用弾性部材であって、その中央部の上面に凸部が形成されるとともに、両端を除いて板厚が薄く形成されて撓み用の空間が形成されたクリック用弾性部材と、前記リング部材の内周面のうちの中央部の内周面に沿って形成され、該リング部材の第１のスライド位置への移動時又は第２のスライド位置への移動時に前記クリック用弾性部材の凸部に当接し、該クリック用弾性部材を撓ませて前記凸部を乗り越える当接部と、を有することを特徴としている。
【００１６】
請求項１に係る発明によれば、リング部材とは別部材のクリック用弾性部材を使用することにより、前記リング部材の制限を受けずに、クリック動作に好適なクリック用弾性部材の材質の選定ができる。また、前記リング部材には、その内周面のうちの中央部の内周面に前記クリック用弾性部材の凸部に当接する当接部を形成するだけでよく、前記リング部材を光軸方向に移動（摺動）させる際に、リング部材の光軸方向の幅で当接させて摺動させることができ、リング部材のスライド移動時に該リング部材が傾かないようにすること（即ち、リング部材が傾いて片方向のみが磨耗する等のおそれがないようにすること）ができる。尚、前記リング部材の内周面のうちの中央部の内周面とは、該リング部材の両端付近の摺動面となる内周面を除いた内周面を意味する。
【００１７】
また、前記クリック用弾性部材の板厚を変更することにより、クリック力の設定変更も容易に行うことができる。
【００１８】
請求項２に示すように請求項１に記載のレンズ装置において、前記クリック用弾性部材は、摺動性のよいプラスチックにより形成されていることを特徴としている。
【００１９】
請求項３に示すように請求項１又は２に記載のレンズ装置において、前記リング部材はポリカーボネートにより形成され、前記クリック用弾性部材はポリアセタールにより形成されていることを特徴としている。前記リング部材をポリカーボネートにより形成することにより、アルミ合金からなるレンズ鏡胴本体と同等の線膨張係数にすることができ、温度変化等によりリング部材がガタつくことがなく、また、所望の強度を確保することができる。一方、前記クリック用弾性部材を摺動性のよいポリアセタールより形成することにより、クリック動作によるクリック用弾性部材の磨耗を最小限にすることができる。
【００２０】
請求項４に示すように請求項１から３のいずれかに記載のレンズ装置において、前記クリック用弾性部材は、前記レンズ鏡胴本体の周囲を３等分割した位置にそれぞれ配設されていることを特徴としている。これにより、リング部材のスライド操作によるクリック動作時にリング部材に対して均等にクリック力が加わり、リング部材がクリック力により傾かないようにすることができる。
【００２１】
請求項５に示すように請求項１から４のいずれかに記載のレンズ装置において、前記クリック用弾性部材の中央部の上面に形成された凸部は、かまぼこ形状を有することを特徴としている。これにより、前記クリック用弾性部材の凸部は、リング部材の当接部と線接触し、磨耗し難くなっている。
【００２２】
請求項６に示すように請求項１から５のいずれかに記載のレンズ装置において、前記レンズ鏡胴本体の周囲には、前記クリック用弾性部材の幅及び最大厚みに相当する幅及び深さの溝が形成され、前記クリック用弾性部材は、前記溝に沿って配設されることを特徴としている。これにより、一箇所で固定されているクリック用弾性部材を、レンズ鏡胴本体の周方向に沿わせて精度よく配設することができる。
【００２３】
請求項７に示すように請求項１から６のいずれかに記載のレンズ装置において、前記リング部材である第１のフォーカスリングと、前記レンズ鏡胴本体に対して所定の回動範囲内のみで回動自在に配設された第２のフォーカスリングと、前記第１のフォーカスリングの光軸方向の第１のスライド位置又は第２のスライド位置への移動に伴って、前記第１のフォーカスリングと第２のフォーカスリングとを連結又は非連結させるクラッチ手段と、前記第１のフォーカスリングの前記第１のスライド位置への移動時に前記第２のフォーカスリングの回動位置に応じた絶対位置信号をフォーカスレンズの移動指令として出力する第１のフォーカスモードと、前記第１のフォーカスリングの前記第２のスライド位置への移動時に前記第１のフォーカスリングの回転量に応じた相対位置信号をフォーカスレンズの移動指令として出力する第２のフォーカスモードとを切り替えるフォーカスモード切替え手段と、を備えたことを特徴としている。
【００２４】
請求項８に示すように請求項７に記載のレンズ装置において、前記第１のフォーカスリング及び第２のフォーカスリングは、それぞれ前記レンズ鏡胴本体を構成する１つの固定環上に配設されることを特徴としている。前記第１のフォーカスリング及び第２のフォーカスリングをそれぞれ１つの固定環上に配設することにより、これらのリングをそれぞれ精度よく配設することができる。
【発明の効果】
【００２５】
本発明によれば、レンズ鏡胴本体に対して回転するとともに光軸方向にスライド移動するリング部材のクリック機構を、該リング部材とは別部材のクリック用弾性部材をレンズ鏡胴本体の周囲を等分割した位置に複数配置するとともに、前記リング部材の内周面のうちの中央部の内周面にクリック用弾性部材の凸部に当接する当接部を形成して構成するようにしたため、前記クリック用弾性部材の材質として摺動性のよいものを選定でき、クリック動作時の磨耗を低減でき、また、リング部材がスライド操作時に傾いて片方向のみ磨耗する等のおそれがなく、所望のクリック力を維持することができる。
【図面の簡単な説明】
【００２６】
【図１】本発明に係るレンズ装置を側面から見た断面図
【図２】図１に示した断面図の要部拡大図
【図３】本発明に係る第１フォーカスリングと第２フォーカスリングとが連結された状態を示す斜視図
【図４】本発明に係るレンズ鏡胴本体を構成する前固定環を示す斜視図
【図５】図４に示した前固定環の要部を示す斜視図
【図６】図４に示した前固定環の要部断面図
【図７】従来のレンズ装置の要部を側面から見た断面図
【発明を実施するための形態】
【００２７】
以下、添付図面に従って本発明に係るレンズ装置の実施の形態について説明する。
【００２８】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００２９】
図１において、レンズ装置１のレンズ鏡胴本体は、主として前枠１０、前固定環１２、第１本体環１４、第２本体環１６、後固定環１８、マウント取付枠２０、及びマウント環２２によって略円筒状に構成されている。
【００３０】
第１本体環１４は、レンズ鏡胴本体の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠２０が、マウント取付枠２０の後方にマウント環２２がそれぞれねじにより固定されている。
【００３１】
尚、前枠１０には、レンズフード２４が装着できるようになっている。また、レンズ装置１は、マウント環２２を介してレンズ交換式のカメラ本体に装着される。
【００３２】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００３３】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００３４】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００３５】
従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００３６】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００３７】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００３８】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００３９】
前固定環１２の外周部には、第１フォーカスリング７０、及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００４０】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００４１】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。尚、クリック用弾性部材７６を含む第１フォーカスリング７０のクリック機構の詳細については後述する。
【００４２】
上記構成のレンズ装置１の側面には、ねじ孔８０、８２を介してグリップ部を兼ねた駆動部（図示せず）が取り付けられる。
【００４３】
駆動部は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００４４】
＜各種の検出手段＞
第１本体環１４の外周面には、光軸方向に沿ってリニアポテンショメータが配設されており、このリニアポテンショメータ（ズームリニアＰＯＴ）は、カム筒４８の回転によりズームレンズ３２が光軸方向に移動すると、その移動位置に対応した位置信号（絶対位置を示す信号）をリード線を介して駆動部に出力する。
【００４５】
カム筒４８の後端面には、Ｎ極、Ｓ極が着磁された磁気リング８４が接着されており、第１本体環１４には、前記磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００４６】
尚、ズームリニアＰＯＴの出力は、電源投入時に使用され、その後は、ズーム位置検出用のＭＲセンサの出力が使用される。
【００４７】
フォーカスレンズ３６のガイド軸に対向する保持枠６２には、フォーカスレンズ位置検出用のＭＲセンサが配設されており、このＭＲセンサは、フォーカスレンズ３６の移動量に対応するパルス数のパルス信号（相対位置を示す信号）をリード線を介して駆動部に出力する。また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００４８】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００４９】
これにより、駆動部は、第１フォーカスリング７０の相対的な回転量を検知することができるとともに、第２フォーカスリング７２の絶対的な回転位置を検知することができる。
【００５０】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００５１】
［レンズ制御］
マウント取付枠２０の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動部に加えられるようになっている。
【００５２】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００５３】
＜フォーカス制御＞
ＡＦ／ＭＦ切替えスイッチによりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００５４】
一方、ＡＦ／ＭＦ切替えスイッチによりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００５５】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００５６】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００５７】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００５８】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００５９】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチの押下によるＡＦモードとを適宜使い分けてフォーカス制御を行うことができる。
【００６０】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００６１】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００６２】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００６３】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００６４】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００６５】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００６６】
即ち、駆動部は、ズーム操作前の現在のズームレンズ３２のズーム位置を、電源投入時のズームリニアＰＯＴの出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００６７】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００６８】
これにより、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００６９】
［実施の形態］
次に、上記構成のレンズ装置１に適用された第１フォーカスリング７０のクリック機構について詳述する。
【００７０】
図２は図１に示したレンズ装置を側面から見た断面図の要部拡大図である。
【００７１】
レンズ鏡胴本体の一部を構成する前固定環１２は、アルミ合金により形成されており、この前固定環１２の周囲を３等分割した各位置に、それぞれクリック用弾性部材７６が配設されている。
【００７２】
一方、第１フォーカスリング７０の内周面のうちのほぼ中央部の内周面には、２つの斜面を有する断面三角形状の当接部７０Ｄが形成されている。
【００７３】
第１フォーカスリング７０は、図２の矢印に示す方向（光軸方向）にスライド自在に配設されている。この第１フォーカスリング７０をスライド操作し、第１フォーカスリング７０の当接部７０Ｄが、クリック用弾性部材７６の凸部７６Ａを乗り越える、図２に示す位置（以下、「第１のスライド位置」という）に移動すると、第１フォーカスリング７０の端部に形成されたクラッチ部（歯車）７０Ａが、第２フォーカスリング７２の端部に形成されたクラッチ部（歯車）７２Ａと噛み合い、第１フォーカスリング７０と第２フォーカスリング７２とが一体的に回動できるようになる。
【００７４】
一方、第１フォーカスリング７０を、図２上で左方向にスライド操作し、第１フォーカスリング７０の当接部７０Ｄが、クリック用弾性部材７６の凸部７６Ａを乗り越える所定の位置（以下、「第２のスライド位置」という）に移動すると、クラッチ部７０Ａ、７２Ａの連結が外れる。これにより、第１フォーカスリング７０はエンドレスで回転可能になる。
【００７５】
そして、第１フォーカスリング７０をスライド操作し、第１フォーカスリング７０の当接部７０Ｄが、クリック用弾性部材７６の凸部７６Ａを乗り越えて、第１のスライド位置又は第２のスライド位置に移動するときにクリック力が生じ、クリック感が得られる。
【００７６】
図３は上記第１フォーカスリング７０と第２フォーカスリング７２とが連結された状態を示す斜視図である。
【００７７】
第１フォーカスリング７０と第２フォーカスリング７２は、それぞれポリカーボネートにより形成されている。これにより、第１フォーカスリング７０及び第２フォーカスリング７２の線膨張係数を、アルミ合金製の前固定環１２と同等のものにすることができ、また、第１フォーカスリング７０及び第２フォーカスリング７２の高剛性を実現している。
【００７８】
図３に示す状態では、前述したように第１フォーカスリング７０のクラッチ部（歯車）７０Ａと第２フォーカスリング７２のクラッチ部（歯車）７２Ａとが噛み合っている。
【００７９】
また、第１フォーカスリング７０の内周面の当接部７０Ｄは、図３に示すように内周面の全周にわたって形成されている。これにより、第１フォーカスリング７０の回転位置にかかわらず、第１フォーカスリング７０をスライド操作すると、クリック動作させることができる。
【００８０】
図４は主として前固定環１２を含むレンズ鏡胴本体を示す斜視図である。
【００８１】
前記第１フォーカスリング７０及び第２フォーカスリング７２が挿入される、前固定環１２の外周には、第１フォーカスリング７０及び第２フォーカスリング７２の内周面が当接する摺動面が形成されている。
【００８２】
また、前固定環１２の外周には、クリック用弾性部材７６を取り付けるための溝１２Ａが形成されている。この溝１２Ａの幅及び深さは、クリック用弾性部材７６の幅及び最大厚みに相当する幅及び深さになるように形成されている。
【００８３】
図５は図４に示した前固定環１２の要部を示す斜視図であり、図６は前固定環１２の要部断面図である。
【００８４】
クリック用弾性部材７６は、摺動性のよいプラスチック（具体的には、ポリアセタール（ＰＯＭ））により形成されている。
【００８５】
図４及び図５に示すように、クリック用弾性部材７６は、円弧状の梁形状に形成されており、前固定環１２の外周に形成された溝１２Ａに配置される。そして、クリック用弾性部材７６の一端は、ねじ７７により前固定環１２に固定され、他端は前固定環１２の溝１２Ａ内の表面に摺動自在に当接できるようになっている。
【００８６】
また、クリック用弾性部材７６は、その中央部の上面にかまぼこ形状の凸部７６Ａが形成され（図５）、また、両端を除いて板厚が薄く形成され、前固定環１２の表面との間に撓み用の空間７９を形成することができるようになっている。
【００８７】
そして、第１フォーカスリング７０のスライド操作により第１フォーカスリング７０の内周面に形成された当接部７０Ｄ（図２）が、クリック用弾性部材７６の凸部７６Ａに当接し、該凸部７６Ａを押圧すると、クリック用弾性部材７６は、図６の二点鎖線で示すように撓むとともに、固定されていない他端側は前固定環１２の表面に沿って摺動する。
【００８８】
このように第１フォーカスリング７０のスライド操作し、第１フォーカスリング７０の当接部７０Ｄが、クリック用弾性部材７６の弾性力に抗して凸部７６Ａを乗り越えて、第１のスライド位置又は第２のスライド位置に移動するときにクリック力が生じ、クリック感が得られる。
【００８９】
［その他］
この実施形態では、第１フォーカスリング７０の内周面に形成される当接部７０Ｄの形状は、２つの斜面を有する断面三角形状のものとしたが、これに限らず、断面半円形状、その他、種々の形状のものが考えられ、同様に、クリック用弾性部材７６に形成される凸部７６Ａの形状もかまぼこ形状のものに限らない。
【００９０】
また、レンズ鏡胴本体の周囲の等分割した位置に設けられるクリック用弾性部材の数は、この実施形態に限定されない。
【００９１】
更に、この実施の形態では、フォーカスリングのクリック機構について説明したが、これに限らず、レンズ鏡胴本体の周囲を回動するとともに、光軸方向にスライド移動するリング部材であれば、そのリング部材のスライド方向のクリック機構として適用できる。
【００９２】
尚、本発明は上述した実施形態に限定されず、本発明の精神を逸脱しない範囲で種々の変形が可能であることは言うまでもない。
【符号の説明】
【００９３】
１…レンズ装置、１２…前固定環、１２Ａ…溝、７０…第１フォーカスリング、７０Ａ、７２Ａ…クラッチ部（歯車）、７０Ｄ…当接部、７２…第２フォーカスリング、７２Ａ…クラッチ部（歯車）、７６…クリック用弾性部材、７６Ａ…凸部、７７…ねじ、７９…空間
【図１】
2011043706.tif 000003
【図２】
2011043706.tif 000004
【図３】
2011043706.tif 000005
【図４】
2011043706.tif 000006
【図５】
2011043706.tif 000007
【図６】
2011043706.tif 000008
【図７】
2011043706.tif 000009